(57)【要約】【解決手段】従来のマウス本体の形状は操作する上で各ユーザーの手指の配置形態に最も適した楽な形状になっていない為、疲労し易い。従来のマウス用手首枕、またはマウスやパッドに付属している手首乗せでは、やはり各ユーザー固有の手首の形状には合っておらず、筋の緊張を強いられた作業を長時間していると、手関節の腱鞘炎などを引き起こす。【解決手段】型取り剤等を用いて各ユーザーの手指が弛緩した状態の手と手首の型を取り、それを元に合成樹脂等を成型し作られた形状のマウス。【選択図】  図４
2004157709.tif 000002
【特許請求の範囲】
【請求項１】
マウスボタンを有するマウス本体下部と、
上記マウス本体下部上で、手掌とマウス本体下部との間で型取りをして成型したマウスグリップとを備えたことを特徴とするオーダーメイドのマウス。
【請求項２】
マウスボタンを有するマウス本体下部と、
上記マウス本体下部上で、掌とマウス本体下部の間、および、手首と手首乗せ部との間で型取りをして成型したマウスグリップとを備えたことを特徴とするオーダーメイドのマウス。
【請求項３】
請求項１または２に記載のオーダーメイドのマウスにおいて、
マウスボタンは、マウス本体下部の前端の略垂直面上に配置され、
マウスグリップ上に乗せた手の人差し指と中指が自然に屈曲して、丁度その指先が前記マウスボタンに触れるように、マウスグリップが型取りされたものであることを特徴とするオーダーメイドのマウス。
【発明の詳細な説明】
【０００１】
【発明の属する技術分野】
本発明は、パーソナル・コンピュータの操作に使用される、コンピュータ・マウスの形状の製造法に関する。
【０００２】
【従来の技術】
コンピュータ・マウス（以下、マウスと称する。）は一般にパーソナル・コンピュータ（以下、パソコンと称する。）を操作する時に使用される。このマウスには画面上のマウス・ポインタを自在に動かす等の機能が要求される。そこで、従来のマウスは、次のような構造をしている。
図７は従来のマウスの斜視図である。
図中の符号をつけた部分は下記のような名前で呼ぶ。
１３．マウス本体
１４．クリック・ボタン
１５．スクロール用ホイール
図において、左右のクリック・ボタン１４の間にスクロール用ホイール１５が設けられ、マウス本体は全体に丸みがかった形状をしている。
【０００３】
【発明が解決しようとする課題】
以上のような従来のマウスには、次のような解決すべき課題があった。
第１に、マウスでパソコンを操作するための基本姿勢において人差し指と中指は左右のクリック・ボタンの上に乗っている。その時、手指の筋は弛緩しているのが理想だが、従来のマウスの形状では、クリック・ボタンが下に軽く押すだけでスイッチが入るスイッチ構造をしているので、クリック・ボタンに指を乗せたままの状態で手指の筋を弛緩させると、自ずと指先には下方向に軽く力が入るため、その指先の軽い力だけでもクリック・ボタンを押してしまうことがあった。故に、人差し指と中指をクリック・ボタンの上に乗せていると常にその２つの指が伸展方向に緊張している状態になり、長時間操作をしていると手指筋の疲労を起こす原因となった。つまり、従来のマウス本体の形状及びクリック・ボタン、スクロール用ホイールの配置はマウスを操作する上で各ユーザーそれぞれの手指の配置形態に最も適した楽な形状、配置になっていないと言う問題があった。第２に、マウスでパソコンを操作するための基本姿勢において手首は、机の上で手指及び上肢全体の緊張を軽減する位置に保持出来るのが理想であるが、従来のマウス用手首枕、またはマウスやパッドに付属している手首乗せでは、やはり各ユーザー固有の手掌から手首までの連続した形状には合っておらず、筋の緊張を強いられた作業を長時間続けていると、手関節の腱鞘炎などを引き起こす原因のひとつとなるのが問題だった。
【０００４】
本発明は以上の課題を解決するためになされたもので、マウスの形状を改良したオーダーメイドのマウス製造法を提供することを目的とするものである。
【０００５】
【課題を解決するための手段】
次項に説明する実施の形態によって実現される発明は、それぞれ次のような構成をしている。
〈構成１〉
マウスボタンを有するマウス本体下部と、上記マウス本体下部上で、手掌とマウス本体下部との間で型取りをして成型したマウスグリップとを備えたことを特徴とするオーダーメイドのマウス。
【０００６】
マウスボタンを有するマウス本体下部は、マウスの基本機能を持つ、量産可能な構造をしている。マウスグリップの部分は、オーダーメイドになる。マウス本体下部にはマウスボタン以外のものがついていても構わない。マウスグリップは、手掌とマウス本体下部との間で型取りをして成型する。型取りをしたものをそのままマウスグリップにしてもよいし、型取りをしたものを型として、新たにマウスグリップを製造しても構わない。型取りの方法は任意である。また、使用者の手掌を直接型取りしたものでなくてもよい。使用者を想定した型を作成すればよい。例えば、男性用、女性用、子供用、指の長い人用、といったいくつかの種類のものを作成して、マウス本体下部上に固定するとよい。マウスグリップはマウス本体下部上に分離できないように固定してもよいし、別のマウスグリップと交換できるように固定しても構わない。実施例では、その製造方法の一例を説明する。
【０００７】
〈構成２〉
マウスボタンを有するマウス本体下部と、上記マウス本体下部上で、掌とマウス本体下部の間、および、手首と手首乗せ部との間で型取りをして成型したマウスグリップとを備えたことを特徴とするオーダーメイドのマウス。
【０００８】
マウスグリップを手首乗せ部まで連続する構造にした。手掌から手首までの連続した形状により、筋の緊張を緩めることができる。マウス本体下部は、手首乗せ部まで延長されていても、いなくても構わない。
【０００９】
〈構成３〉
構成１または２に記載のオーダーメイドのマウスにおいて、マウスボタンは、マウス本体下部の前端の略垂直面上に配置され、マウスグリップ上に乗せた手の人差し指と中指が自然に屈曲して、丁度その指先が上記マウスボタンに触れるように、マウスグリップが型取りされたものであることを特徴とするオーダーメイドのマウス。
【００１０】
図１に示したように、マウスボタン２は、マウス本体下部１の前端の斜面上に配置されている。斜面としたのは、人差し指と中指が自然に屈曲した状態で、そのままでは、マウスボタン２を押さないようにできるからである。これにより、常にその２つの指が伸展方向に緊張している状態を防止できる。マウス本体下部１の前端の斜面の傾斜は、３０度以上であって、このましくは４５度以上９０度以下である。
【００１１】
【発明の実施の形態】
以下、本製造法の発明の実施の形態を具体例を挙げながら詳細に説明する。なお、構成１、構成２といった構成番号と下記の具体例１、具体例２といった具体例番号とは、特に関連性は無く、必ずしも対応していない。
【００１２】
〈具体例１〉
図１は、具体例１のオーダーメイドのマウス本体下部１の斜視図である。
１．マウス本体下部
２．クリック・ボタン
３．スクロール用ホイール
オーダーメイドのマウスはこのマウス本体下部１の上に、マウスの各ユーザーの手指の筋が最も弛緩した握りやすい手指と手首型を取って、それを元に合成樹脂等を成型した図４のマウス・グリップ５とそれと一体の手首乗せ部６を乗せたものが完成品となる。図４は、その完成品一例の斜視図ある。
【００１３】
図２は、オーダーメイドのマウス本体下部１の側面及び上面図、図３は正面及び後面図である。従来からのマウスの電気機械的機能はすべて、このマウス本体下部１に備えており、マウス・ボール４はマウス本体下部１の底面から一部が出ている。このマウス本体下部１の全高はマウス・ボール４がその役割を機能して収まるギリギリの高さにして、上に乗るマウス・グリップ５の形状に影響を与えないようになっている。正面にあるクリック・ボタン２はマウス・グリップ５に手指を乗せたとき人差し指と中指が自然に屈曲して、丁度その指先が触れる場所になる様、配置されている。正面から上面にかけては左クリックボタンの左側にスクロール用ホイール３が配置されている。従来のマウスは図７に示すようにスクロール用ホイールが左右クリック・ボタンの間に配置されているが、その位置であると人差し指と中指が常に開いている状態になり、手指筋が緊張を強いられるので、オーダーメイドのマウスではスクロール用ホイール３は人差し指がマウス・グリップ５に自然に乗る位置のすぐ左側に配置した。このマウス本体下部１は各ユーザーの手の大きさに合わせられる様、本体全体の大きさは大から小まで選択できるが基本の形やボタン類の位置、機能は皆同じでオーダーでは無く、最初から完成品になっており、各ユーザーとも共通の電気機械部分である。つまり、このマウス本体下部１は量産し、この上に乗る図４のマウス・グリップ５とそれと一体の手首乗せ部６の部分だけ各ユーザー別にオーダーメイドし、その両者を上下で合体したものが本製造法発明のオーダーメイドのマウスとなる。
【００１４】
以下に、このオーダーメイドのマウスが完成するまでの製造法を順を追って説明する。
マウス・グリップ５とそれと一体の手首乗せ部６の実際の製作段階において、先ず各ユーザーは、マウス本体下部１と実物大のダミーのマウス本体下部１を利用してクリック・ボタン２及びスクロール用ホイール３に指を合わせながらマウス・グリップ５とそれと一体の手首乗せ部６の手型を型取り剤等を用いて自分の手の形になる様、自分で粘土細工を楽しむ要領で工作する。そこで出来上がった各ユーザーの手型は３次元スキャナー等で読みとられ、そのデータにより工作機械が合成樹脂などを原料とした軽量のマウス・グリップ５とそれと一体の手首乗せ部６の成型品を作る。最後にそれを本物のマウス本体下部１の上に接着しマウスが完成する。これが本製造法発明のオーダーメイドのマウス製造法である。
〈具体例２〉
前述のマウス本体下部１のクリック・ボタン２とスクロール用ホイール３の配置がマウスを操作する上で最も疲労しにくい配置関係であるが、あらゆるユーザーの要望を想定し、図１のマウス本体下部１における、クリック・ボタン２とスクロール用ホイール３の配置以外に他のバリエーションとして、２種類を考え図５と図６にその斜視図を示した。図５のマウス本体下部７は左右のクリック・ボタン８の間にスクロール用ホイール９がある。図６のマウス本体下部１０のスクロール用ホイール１２は親指で操作出来る様にマウス本体下部１０の側面に配置され、クリック・ボタン１１は正面部に配置している。
【００１５】
以下に、この図４のマウス・グリップ５とそれと一体の手首乗せ部６の形状と製造法の特徴を説明する。
各ユーザーが手指の筋を弛緩させ、自然に指が屈曲した状態でマウスを握り楽に操作する事が出来る自分の手にぴったり合った唯一のマウス形状を作るため、マウス・グリップ５とそれと一体の手首乗せ部６はその目的を達成する手指及び手首型形状になる様、一般的受け身の型取りでなく、積極的に自分が納得行くまで型取り剤等で任意に工作できるので、各製作者本人の製作意欲が反映され、それによってより完全な形状を得られることを特徴とするマウスの製造法である。
【００１６】
以上説明した本製造法発明のマウス本体下部における、パソコンを操作するための電気機械的機構はボール式の他、オプティカル式やワイヤレス方式なども自在に応用できる。
【発明の効果】
以上のように、本製造法発明のオーダーメイドのマウスにはそれぞれ次のような効果がある。
第１に、各ユーザーが手指の筋を弛緩させ、自然に指が屈曲した状態で握り操作する事が出来る形状にマウス本体を作ることが可能になったので、そのマウスによる長時間作業において、手指及び手首の疲労が減り、腱鞘炎等の疾患を予防することが出来るようになった。
第２に、各ユーザーの手型を型取り剤等で型取る製作作業は各個人が気ままに行え、製作手順などは説明書等があれば十分である。これはきわめて自由で簡便な手型採取法であり、この製造法により遠隔地にいても通信販売によって本格的なオーダーメイドのマウスが入手できるようになった。
【図面の簡単な説明】
【図１】マウス本体下部１の斜視図である。
【図２】マウス本体下部１の側面及び上面図である。
【図３】マウス本体下部１の正面及び後面図である。
【図４】オーダーメイドのマウス完成品一例の斜視図である。
【図５】マウス本体下部７の斜視図である。
【図６】マウス本体下部１０の斜視図である。
【図７】従来のマウスの斜視図である。
【符号の説明】
１．マウス本体下部
２．クリック・ボタン
３．スクロール用ホイール
４．マウス・ボール
５．マウス・グリップ
６．手首乗せ部
７．マウス本体下部
８．クリック・ボタン
９．スクロール用ホイール
１０．マウス本体下部
１１．クリック・ボタン
１２．スクロール用ホイール
１３．マウス本体
１４．クリック・ボタン
１５．スクロール用ホイール
【図１】
2004157709.tif 000003
【図２】
2004157709.tif 000004
【図３】
2004157709.tif 000005
【図４】
2004157709.tif 000006
【図５】
2004157709.tif 000007
【図６】
2004157709.tif 000008
【図７】
2004157709.tif 000009